(57)【要約】【課題】  筐体の前面枠に前面パネルを接着して固定する場合、両者の熱膨張係数が相違すると、接着剤が剥れて前面パネルが脱落したり、前面パネルが変形することがある。【解決手段】  画像表示部を有する筐体前面枠に前面パネルを取付ける際、前記表示部の周縁に沿って前記前面枠に複数の固着部を形成し、各固着部にそれぞれ取付具を取付ける。前記表示部の４隅付近に取付けられた取付具は、垂直、水平方向に所定量だけ移動可能とし、前記表示部の垂直及び水平方向の中心付近に取付けられた取付具は、移動量がより規制された状態で取付けられ、前記前面パネルを前記取付具に接着して固定することを特徴とする。これにより、前面パネルが熱膨張や収縮しても、取付具の位置がそれに応じて移動するため、前面パネルが変形や接着剤の剥れを防止することができる。【選択図】  図２
2005079865.tif 000002
【特許請求の範囲】
【請求項１】
画像表示部を有する筐体前面枠と、前記前面枠に取付けられる前面パネルとを有するディスプレイ装置において、
前記表示部の周縁に沿って前記前面枠に形成した複数の固着部と、
前記複数の固着部にそれぞれ取付けられた複数の取付具を含み、前記前面枠の４隅付近にある固着部に取付けられた取付具は、垂直、水平方向に所定量だけ移動可能とし、前記前面枠の垂直及び水平方向の中心付近にある固着部に取付けられた取付具は、移動量が前記所定量以下に規制された状態で取付けられ、前記前面パネルを前記取付具に接着して固定するパネル取付け手段とを具備したことを特徴とするディスプレイ装置。
【請求項２】
前記表示部は水平方向にワイドなアスペクト比を有し、前記前面枠の水平方向の中心付近に形成された固着部に取付けられた取付具は、垂直方向及び水平方向への移動ができないように取付けられ、前記前面枠の垂直方向の中心付近に形成された固着部に取付けられた取付具は、水平方向に所定量だけ移動可能に取付けられたことを特徴とする請求項１記載のディスプレイ装置。
【請求項３】
前記前面パネルを前記取付具に両面接着テープを用いて固定することを特徴とする請求項１記載のディスプレイ装置。
【請求項４】
前記前面枠に形成した固着部には所定の幅を有する方形状の穴を設け、前記取付具には前記方形状の穴よりも幅が小さく、前記穴に嵌合して係止する折曲片を設けたことを特徴とする請求項１記載のディスプレイ装置。
【請求項５】
前記前面枠に形成した固着部にはさらに、先端部に突起を有するヒンジを設け、前記取付具には前記突起が嵌合する凹みを設け、前記取付具を前記固着部に取付けたときに前記凹みに前記突起を嵌合可能にしたことを特徴とする請求項４記載のディスプレイ装置。
【請求項６】
水平方向にワイドなアスペクト比の画像表示部を有する筐体前面枠と、前記前面枠に取付けられる前面パネルとを有するディスプレイ装置において、
前記表示部の周縁に沿って前記前面枠に形成した複数の固着部と、
前記複数の固着部にそれぞれ取付けられた複数の取付具を含み、前記前面枠の４隅付近にある固着部に取付けられた取付具は、垂直、水平方向に所定量だけ移動可能とし、前記前面枠の垂直方向の中心付近にある固着部に取付けられた取付具は、水平方向に所定量だけ移動可能とし、前記前面枠の水平方向の中心付近にある固着部に取付けられた取付具は、移動不可とし、前記前面パネルを前記取付具に接着して固定するパネル取付け手段とを具備したことを特徴とするディスプレイ装置。
【発明の詳細な説明】
【技術分野】
【０００１】
本発明は、液晶ディスプレイやプラズマディスプレイ等のフラットパネル型のディスプレイ装置に関し、特に飾り板や保護フィルタ等の前面パネルの取付構造に関するものである。
【背景技術】
【０００２】
従来、液晶ディスプレイやプラズマディスプレイ等のディスプレイ装置においては、ディスプレイ前面部に飾り板や視覚保護用のフィルタ等を取付けることが多い。これら飾り板や保護用のフィルタは前面パネルを構成するものであり、ディスプレイ装置の前面枠に接着剤等を用いて取付けられている。
【０００３】
ところで、ディスプレイ装置の筐体は、一般的にプラスチック成形にて製造されているが、筐体と前面パネルの材質が異なる場合には、熱膨張係数や吸湿膨張係数が異なるため、筐体の前面枠に前面パネルを接着剤で固着した場合、膨張係数の相違により接着部分が剥れてしまい、前面パネルが脱落してしまうことがあった。また、接着力を強化した場合は、前面枠又は前面パネルが変形することがあった。
【０００４】
このような熱膨張係数の相違による前面パネルの変形を防止するため、例えば特許文献１には、可撓性のある粘着手段（両面テープ、接着剤）を用いて筐体と保護パネルを固定する例が示されている。また、特許文献２には、キャビネット前面の開口部周辺にスライド可能なピースを取付け、このスライドピースに前面パネル接着するようにした例が示されている。
【特許文献１】特開平１１−３５２８９７号公報（図１）
【特許文献２】特開２００３−５２７６号公報（図１）
【発明の開示】
【発明が解決しようとする課題】
【０００５】
上記した特許文献１の技術は、可撓性のある粘着手段を用いることにより、筐体と保護パネルとの間に熱膨張率の相違があっても、粘着手段によって膨張や収縮分を吸収することができ、保護パネルの変形を防ぐことができる。しかしながら、粘着手段が膨張、収縮を繰返すため、経時変化により接着力の低下を招き、保護パネルが脱落する可能性がある。
【０００６】
また、特許文献２の技術は、スライドピースを使用して前面パネルを取付けているため、筐体と前面枠との間に熱膨張率の相違があっても、スライドピースのスライド範囲内であれば膨張や収縮分を吸収することができ、前面パネルの変形を防ぐことができる。しかしながら、スライドピースのスライド範囲内において、前面パネルが移動可能であるため、がたつきを生じやすくなるため、更なる改善が求められている。
【０００７】
本発明は、上記に鑑み、筐体と前面パネルの熱膨張係数が相違しても、前面パネルの脱落や変形を防止し、かつ取付強度の確保と位置決めを確実にするディスプレイ装置を提供することを目的とする。
【課題を解決するための手段】
【０００８】
本発明は、画像表示部を有する筐体前面枠と、前記前面枠に取付けられる前面パネルと
を有するディスプレイ装置において、
前記表示部の周縁に沿って前記前面枠に形成した複数の固着部と、
前記複数の固着部にそれぞれ取付けられた複数の取付具を含み、前記前面枠の４隅付近にある固着部に取付けられた取付具は、垂直、水平方向に所定量だけ移動可能とし、前記前面枠の垂直及び水平方向の中心付近にある固着部に取付けられた取付具は、移動量が前記所定量以下に規制された状態で取付けられ、前記前面パネルを前記取付具に接着して固定するパネル取付け手段とを具備したことを特徴とする。
【発明の効果】
【０００９】
本発明のディスプレイ装置によれば、前面パネルと前面枠の熱膨張係数や収縮係数が異なり、前面パネルが熱や湿度変化により膨張や収縮しても、取付具の位置がそれに応じて移動するため、前面パネルが変形するのを防止し、かつ接着剤の剥れを防止することができる。
【発明を実施するための最良の形態】
【００１０】
以下、本発明の実施例について、図面を参照しながら詳細に説明する。
【実施例１】
【００１１】
図１は、本発明装置の１実施例の外観構成を示す斜視図であり、図２は前面パネルを外した状態を示す一部分解斜視図である。また、図３、図４は本発明の主要部の構成を示す斜視図と断面図である。
【００１２】
図１において、１はディスプレイ装置であり、例えば液晶表示パネルを用いたものである。ディスプレイ装置１は、大別すると前面パネル１１、フロントキャビネット１２、バックカバー１３から構成される。
【００１３】
前面パネル１１は、前面部の飾り板を構成するもので、例えばアクリル板（ＰＭＭＡ）にてなる透明板であり、開口部１１１と、その周辺部に塗布した不透明物質の枠１１２から成る。また、フロントキャビネット１２は、例えばＡＢＳ樹脂にてなり、前面部に設けた液晶パネルの表示部１２１と、表示部１２１の周辺部に突出して形成された額縁状の前面枠１２２と、前面枠１２２の両サイドに設けられたスピーカ１２３とから構成されている。また、バックカバー１３は、フロントキャビネット１２の背面に取付けられ、その中には液晶駆動回路等の回路部品等が取付けられている。
【００１４】
図１，図２から分るように、前面パネル１１は、フロントキャビネット１２の前面枠１２２を覆うように、かつ表示部１２１が表側から見えるように取付けられる。また、前面枠１２２の表面側には、複数の固着部２１設けられ、この固着部２１に前面パネル１１を接着するようにしている。こうして前面パネル１１が取付けられたあと、前記固着部２１は前面パネルに形成した不透明な枠１１２によって隠される。
【００１５】
尚、前記固着部２１は、表示部１２１のセンター軸を中心にして放射状の位置にそれぞれ設けられ、前面枠１２２の上下辺の中心部（水平方向の中心付近）に形成された固着部２１ａと、前面枠１２２の左右辺の中心部（垂直方向の中心付近）に形成された固着部２１ｂと、前面枠１２２の４隅付近にある固着部２１ｃに区分されるが、以下の説明では固着部２１ａ，２１ｂ，２１ｃを総称して固着部２１として説明することもある。
【００１６】
次に、前記固着部２１及び、その固着部に取付けられる取付具３１の構成について、図３，図４を参照して具体的に説明する。
【００１７】
図３（ａ）は、前面枠１２２の上下辺中央部に設けられた固着部２１ａを示すもので、
図２の円Ａで示す部分を拡大して示したものである。図３（ａ）において、固着部２１ａは前面枠１２２の前面に形成した凹部２１１を有し、凹部２１１の上部両サイドには方形状の穴２１２，２１３が設けられ、これら穴２１２，２１３の中間部の下側にも同様に方形状の穴２１４が設けられている。さらに穴２１４の上側（穴２１２と２１３の間）にはネジ穴２１５が設けられている。
【００１８】
また、中間部の穴２１４の左右両サイドには、ヒンジ２１６，２１７が形成され、これらヒンジ２１６，２１７の端部には突起２１８，２１９が設けられている。ヒンジ２１６，２１７は、Ｕ字状にくり貫いた穴によって形成され、弾性を有している。
【００１９】
尚、前面枠１２２の周辺部（４隅部分）に設けられた固着部２１ｃも同様の構成を有しているが、固着部２１ｃは、ネジ穴２１５を削除した構成になっている。
【００２０】
また、取付具３１は例えば金属の金具を用いると良いが、取付け強度が確保できる材質であれば、金属に限られるものではない。以下の説明では取付具を金具３１として説明する。
【００２１】
金具３１は矩形状の本体部３１１と、本体部３１１の上縁部に設けられ前記穴２１２，２１３に嵌合して係止する折曲部３１２，３１３と、本体部３１１の下縁部に設けられ前記穴２１４に嵌合して係止する折曲部３１４とを有し、前記ネジ穴２１５に対向する位置にネジ穴３１５を有している。
【００２２】
図３（ｂ）は図３（ａ）の矢印Ｘ方向から見た金具３１の斜視図であり、ネジ穴３１５の周辺が多少突出した形状となっている。また、前記ヒンジ２１６，２１７に設けた突起２１８，２１９に対向する位置に凹み３１８，３１９を形成している。
【００２３】
前記折曲部３１２，３１３，３１４は、コ字状に折り曲っており、前記穴２１２，２１３，２１４の横方向の幅をＬ１とし、金具３１の折曲部３１２，３１３，３１４の横方向の幅をＬ２としたとき、Ｌ１＞Ｌ２となっており、金具３１を凹部２１１に取付けたときに金具が横方向（水平方向）に多少の範囲で移動できるようにしている。
【００２４】
さらに、金具３１の表面（凹部２１１と反対側の面で前記前面パネル１１を取付ける面）には、両面接着テープ４１が貼り付けられており、金具３１を凹部２１１に取付けた後に、この両面接着テープ４１に前面パネル１１を押しつけて接着することにより、前面パネル１１を前面枠１２２に固着するようにしている。
【００２５】
図４は、前面枠１２２の凹部２１１に金具３１を取付けた状態を示す断面図であり、前記穴２１２，２１３，２１４の高さ方向の幅をＨ１とし、金具３１の折曲部３１２，３１３，３１４の高さ方向の幅をＨ２としたとき、Ｈ１＞Ｈ２となっており、金具３１を凹部２１に取付けたときに金具３１が上下方向（垂直方向）に多少の範囲で移動できるようにしている。
【００２６】
図５は、前面枠１２２の左右辺中央部に設けられた固着部２１ｂを示すもので、図２の円Ｂで示す部分を拡大して示している。構造的には図３（ａ）と同様のものであるが、縦長方向に使用する形態となっている。また、凹部２１１に設けたネジ穴２１５は横方向に長い長穴形状となっており、金具３１を取付けた際に、金具３１が左右方向（水平方向）に若干移動できるようになっている。
【００２７】
次に、本発明のディスプレイ装置における前面パネル１１の取付け方について説明する。
まず、図２のように前面枠１２２の上下辺、左右辺、及び４隅部に設けた複数の固着部２１に対し、金具３１をそれぞれ取付ける。金具３１の取付けに際しては、図３，図４で示したように、金具３１の上縁部に設けられた折曲部３１１，３１２及び下縁部に設けられた折曲部３１４を固着部２１の凹部２１１に形成した穴２１２，２１３及び２１４に挿入し、折曲部３１２，３１３，３１４を穴２１２，２１３，２１４の縁に引っ掛けることにより、金具３１は凹部２１１に係止される。このとき、ヒンジ２１６，２１７に形成した突起２１８，２１９が金具３１の凹み３１８，３１９に嵌合するため、位置決めと仮止めが可能となる。
【００２８】
また、前述したように、前面枠１２２の上下辺中央部に設けられた固着部２１ａにはネジ穴２１５が設けられており、このネジ穴２１５と金具３１のネジ穴３１５にネジ４２（図４参照）を螺入することにより、金具３１は固定位置に取付けられる。また前面枠１２２の左右辺の中央部に設けられた固着部２１ｂには図５で説明したように長穴形状のネジ穴２１５が設けられており、この長穴２１５と金具３１のネジ穴３１５にネジ４２を螺入することにより、金具３１は取付けられる。尚、図５で説明したように金具３１は長穴３１５の長さの範囲内で若干移動できるようになっている。
【００２９】
また、前面枠１２の周辺部（４隅部分）の固着部２１ｃにはネジ穴は設けられていないため、これらに取付けられた金具３１は、凹部２１１に形成した穴２１２，２１３，２１４の長手方向及び短手方向（垂直、水平方向）に移動可能となっている。尚、ヒンジ２１６，２１７に設けた突起２１８，２１９が、金具３１の凹み３１８，３１９に嵌合しているが、金具３１に前記長手方向及び短手方向への移動力が加わった場合は、ヒンジ２１６，２１７の弾性により突起２１８，２１９と凹み３１８，３１９の嵌合状態は外れ、金具３１の移動が可能となる。
【００３０】
こうして、複数のすべての金具３１が前面枠に取付けられた後、前面パネル１１を前面枠１２２に合わせ、金具３１に接着した両面テープ４１に押しつけることにより、前面パネル１１はそれぞれの金具３１に接着固定することができる。
【００３１】
次に、前面パネル１１の熱環境や吸湿による膨張或いは収縮に対する接着剤の剥れ防止作用について、図６を参照して説明する。前面パネル１１周辺の熱及び湿度環境の変化があった場合、前面パネル１１は、主にその４隅部分が変形し易くなる。例えば、前面パネル１１が熱膨張した場合、パネル１１の周辺部４隅が斜め方向に伸びる。このとき、前面枠１２２の４隅部分にとりつけた金具３１は、凹部２１１に形成した穴２１２，２１３，２１４の長手方向及び短手方向に移動するため、前面パネル１１に不当な応力を与えることはない。逆に前面パネル１１が収縮した場合は、前面枠１２２の４隅部分にとりつけた金具３１は、逆方向に移動することになる。
【００３２】
また、前面枠１２２の左右辺中央部に設けた金具３１は、図５で説明したように、長穴２１５の長さ範囲内で移動できるため、前面パネルの左右方向の膨張収縮を吸収することができる。特に表示部１２１が水平方向にワイドなアスペクト比を有する場合は、前面パネル１１の左右端部が膨張や収縮する可能性が高いため、長穴２１５を設けることは効果的である。
【００３３】
さらに、前面パネル１１の垂直方向中央部は、比較的膨張や収縮の影響を受けにくいため、金具３１をネジ４２で固定することにより、この固定位置を中心にパネル１１は周辺部が伸縮するようになる。したがって、本発明では、前面パネル１１が熱や湿度変化により多少膨張や収縮しても金具３１の位置がそれに応じて移動するため、前面パネル１１の変形や接着剤の剥れを防止することができる。
【００３４】
こうして前面パネル１１と前面枠１２２の熱膨張係数や収縮係数が異なる場合であっても、安定した取付状態を維持することができ、前面パネル１１の変形を防ぐことができる。
【００３５】
尚、以上の説明では、前面パネル１１が飾り板である場合を説明したが、これに限らず視覚保護用のフィルタを前面枠に取付ける場合にも本発明は適用することができる。また、固着部２１及び取付具３１は、図示した数に限らず、それ以上設けても良い。要は前面枠１２２の４隅付近にある取付具３１は、垂直、水平方向に所定量だけ移動可能とし、前面枠１２２の垂直及び水平方向の中心付近にある取付具３１は、移動量がより規制された状態で取付けられれば良い。
【図面の簡単な説明】
【００３６】
【図１】本発明のディスプレイ装置の外観構成を示す斜視図である。
【図２】本発明のディスプレイ装置の一部を分解して示す分解斜視図である。
【図３】本発明のディスプレイ装置の主要部の構成を示す分解斜視図である。
【図４】主要部の組立状態を示す断面図である。
【図５】本発明のディスプレイ装置の主要部の構成を示す分解斜視図である。
【図６】本発明の動作説明図である。
【符号の説明】
【００３７】
１  ディスプレイ装置
１１  前面パネル
１２  フロントキャビネット
１２１  表示部
１２２  前面枠
１３  バックカバー
２１ａ，２１ｂ，２１ｃ  固着部
２１２，２１３，２１４  穴
２１５  ネジ穴
２１６，２１７  ヒンジ
２１８，２１９  突起
３１  金具
３１２，３１３，３１４  折曲部
３１５  ネジ穴
３１８，３１９  凹み
４１  両面テープ
４２  ネジ
【図１】
2005079865.tif 000003
【図２】
2005079865.tif 000004
【図３】
2005079865.tif 000005
【図４】
2005079865.tif 000006
【図５】
2005079865.tif 000007
【図６】
2005079865.tif 000008